(57)【要約】【課題】身体に対して操作をする装置や、身体に着用されて／または取り付けられて使用される装置に供される衣服に用いられ、装置の配線に用いる同軸電線が邪魔になるのを防ぐことができる、低コストの衣服を提供する。【解決手段】衣服１は、脇部分やアームホール部分などの生地の縫い目１ａ〜１ｃの周囲に、該縫い目１ａ〜１ｃに沿って、余長を持たせた形態で同軸電線５が配されているものである。【選択図】図１
2015206130.tif 000002
【特許請求の範囲】
【請求項１】
生地の縫い目の周囲に、該縫い目に沿って、余長を持たせた形態で同軸電線が配されている衣服。
【請求項２】
前記同軸電線が、前記生地の合わせ目に設けられた前記縫い目上を蛇行するように配されている請求項１に記載の衣服。
【請求項３】
前記同軸電線が、螺旋状に形成されており、前記生地を折り返して縫った前記縫い目に沿って形成される空洞内に配されている請求項１に記載の衣服。
【請求項４】
前記同軸電線が、螺旋状に形成されており、前記生地の合わせ目に設けられた前記縫い目に沿って形成される空洞内に配されている請求項１に記載の衣服。
【発明の詳細な説明】
【技術分野】
【０００１】
本発明は、身体に対して操作をする装置や、身体に着用／または取り付されて使用される装置に供される衣服に関する。
【背景技術】
【０００２】
身体に着用されて使用されるウェアラブル（Wearable）型の音楽再生装置本体とイヤホン／ヘッドホンとの間は、電気信号を伝送する電気信号線を用いて有線接続とする場合が多い。頭部に着用して使用されるヘッドマウントディスプレイと制御装置との間や、身体に取り付けて使用される血圧測定用のセンサと制御装置との間も同様に有線接続とする場合が多い。
【０００３】
しかし、身体に対して操作をする超音波診断装置や、身体に着用して使用されるウェアラブル機器、身体に取り付けられるセンサなどにおいて、電気信号線による有線接続とした場合、身体が動くときなどに電気信号線が邪魔となる。
電気信号線が邪魔とならないようにするための技術として例えば以下の技術がある。
【０００４】
特許文献１には、ウェアラブル・コンピュータにおける各デバイス間の配線として用いる超極細導体で衣服を縫製する技術が開示されている。
特許文献２には、着用者の頭部を覆うことにより該着用者の脳活動を表す情報を非侵襲的に取得するための被り物のテキスタイル（生地）に、上記情報を検出するセンサ部からの信号を伝送する配線を織り込んだテキスタイルを用いる技術が開示されている。
【０００５】
特許文献３には、衣服に配された機器間を伸縮伝送線で接続し、余長部分を無くすことで伝送線の引っ掛かりや巻き込みの危険を排除し、また、動き易さなどの快適性を確保する技術が開示されている。
特許文献４には、オーディオ再生装置に接続するオーディオコネクタが配されたデバイスドックと、ヘッドホンに接続するヘッドホンジャックが配されたジャックドックとを衣類上に設け、デバイスドックとヘッドホンジャックとを、衣類に一体化した伸縮性織物からなるデータバスで接続する技術が開示されている。
【先行技術文献】
【特許文献】
【０００６】
【特許文献１】特開２０００−１４８２９０号公報
【特許文献２】特開２０１１−１２５６７４号公報
【特許文献３】特開２０１２−１８８７９９号公報
【特許文献４】特表２０１３−５２００７８号公報
【発明の概要】
【発明が解決しようとする課題】
【０００７】
しかし、特許文献１に開示の衣服では、配線及び縫製用の超極細導体に伸縮性がないため、当該衣服の着用者が激しく動いたときなどに断線する虞がある。特許文献２に開示の技術は、伸縮性があまり必要とされない被り物のための技術であり、伸縮性が必要とされる分野には好適に用いることができない。
特許文献３及び４に開示の技術は、信号伝送線が当該伝送線の延在方向に伸縮可能であれば好適であるが、同軸電線のように、信号伝送線の延在方向の伸縮率が小さい分野の場合、適用することができない。また、伸縮性のある信号伝送線は比較的高価である。さらに、特許文献３に開示の技術では、信号伝送線が衣服の外部に露出しており、見栄えがよくない。
【０００８】
本発明は、上述のごとき実情に鑑みてなされたもので、身体に対して操作をする装置や、身体に着用されて／または取り付けられて使用される装置に供される衣服に用いられ、装置の配線に用いる同軸電線が邪魔になるのを防ぐことができる、低コストの衣服を提供することをその目的とする。
【課題を解決するための手段】
【０００９】
本発明の衣服は、生地の縫い目の周囲に、該縫い目に沿って、余長を持たせた形態で同軸電線が配されているものである。
【発明の効果】
【００１０】
本発明の衣服によれば、機器を同軸電線で有線接続したときに当該同軸電線が機器の操作者や被操作者の邪魔になるのを防ぐことができ、また、本発明の衣服は低コストで作製できる。
【図面の簡単な説明】
【００１１】
【図１】本発明の衣服の一例を説明するための図である。
【図２Ａ】図１の衣服の縫い目部分の部分拡大斜視図である。
【図２Ｂ】図１の衣服の縫い目部分の部分拡大側面図である。
【図３Ａ】本発明の衣服の他の例の縫い目部分の部分拡大斜視図である。
【図３Ｂ】図３の衣服に用いられる同軸電線の一例の斜視図である。
【図４】本発明の衣服の別の例の縫い目部分の部分拡大斜視図である。
【発明を実施するための形態】
【００１２】
［本発明の実施形態の説明］
まず、本発明の実施形態を列記して説明する。
（１）本発明の衣服は、生地の縫い目の周囲に、該縫い目に沿って、余長を持たせた形態で同軸電線が配されているものである。この衣服によれば、当該衣服の同軸電線を介して機器を有線接続したときに当該同軸電線が機器の操作者や被操作者の邪魔になるのを防ぐことができる。
【００１３】
（２）本発明の衣服は、同軸電線が、生地の合わせ目に設けられた縫い目上を蛇行するように配されているとよい。
【００１４】
（３）本発明の衣服は、同軸電線が、螺旋状に形成されており、生地を折り返して縫った前記縫い目に沿って形成される空洞内に配されている形態であってもよい。
【００１５】
（４）本発明の衣服は、同軸電線が、螺旋状に形成されており、生地の合わせ目に設けられた縫い目に沿って形成される空洞内に配されている形態であってもよい。
【００１６】
（本願発明の実施形態の詳細）
以下、図面を参照しながら、本発明の衣服に係る好適な実施の形態について説明する。なお、本発明はこれらの例示に限定されるものではなく、特許請求の範囲によって示され、特許請求の範囲と均等の意味および範囲内ですべての変更が含まれることを意図する。また、以下の説明において、異なる図面においても同じ符号を付した構成は同様のものであるとして、その説明を省略する場合がある。
【００１７】
図１は、本発明の衣服の一例を説明するための斜視図である。
図１の衣服１は、ウェアラブル（Wearable）型の機器やセンサ等を使用する際に着用されるもので、複数の生地を縫い合わせて作製されている。使用される機器は音楽や映像の再生録音装置、各種生体情報の測定装置がある。この衣服１は、肩及び脇の部分に、前身頃の生地２と後身頃の生地３との合わせ目があり、アームホール部分に上記生地２及び生地３と袖の生地４との合わせ目がある。これらの合わせ目、前身頃の生地２及び後ろ身頃の生地３の裾部分並びに裾の生地４の袖口部分には、縫い目１ａ〜１ｅが形成されている。
【００１８】
前身頃の生地２、後身頃の生地３及び袖の生地４には、面状に伸縮可能な織物生地が用いられる。この織物生地の構成糸は、伸縮性長繊維から形成することができる。伸縮性長繊維は、例えば３０％以上の伸縮性を有するものであり、ポリウレタン系伸縮性長繊維、ポリエステル系伸縮性長繊維、天然ゴム系伸縮性長繊維、合成ゴム系伸縮性長繊維である。
【００１９】
また、衣服１では、その裏側において、脇部分の縫い目１ａ、アームホール部分の縫い目１ｂ及び肩部分の縫い目１ｃに沿って、余長を持たせた形態で同軸電線５が配されている。この余長を持たせた形態での配線方法の具体例は後述する。同軸電線５の両端は、襟口と袖の部分から露出しており、機器接続用のコネクタ５ａ，５ｂで終端されている。この同軸電線５の配線は、例えば、生地２，３，４などの縫製が全て終了してから行われる。
【００２０】
同軸電線５は、中心軸に直交する径方向の断面において、中心から外側に向かって、中心導体、内部絶縁体、外部導体及び外被を有している。具体的には、同軸電線５には、例えば、直径が０．０９ｍｍより細い錫メッキ軟銅線または銀メッキ軟銅線からなる中心導体と、ＰＦＡ（テトラフルオロエチレン・パーフルオロアルキルビニルエーテル共重合体）やＥＴＦＥなどのフッ素系樹脂からなる厚さ０．０８ｍｍより薄いの内部絶縁体と、外径０．０５ｍｍより細い錫メッキ軟銅線からなる外部導体と、ポリエステルテープやフッ素樹脂からなる外被と、で構成される外径０．３７ｍｍより細い同軸電線が用いられる。
【００２１】
衣服１では、同軸電線５が、衣服１の裏側に形成されている縫い目１ａ〜１ｃに沿って、余長を持たせた形態で配されている。衣服１によれば、当該衣服１が内包する同軸電線５を介して機器を有線接続したときに当該同軸電線５が機器の操作者や被操作者の邪魔になるのを防ぐことができる。また、同軸電線５が衣服１の裏側に配されているので、見栄えが良い。
なお、着心地を向上させるために、衣服１の裏側に配された同軸電線５が衣服１の着用者に触れないように同軸電線５を覆うカバーを生地２〜４に縫いつけてもよい。
【００２２】
図２Ａ及び図２Ｂは、衣服１の裏側における同軸電線５の配線方法の一例を説明する図であり、図２Ａは、衣服１の脇部分の縫い目１ａの部分拡大斜視図、図２Ｂは、同部分拡大側面図である。
【００２３】
縫い目１ａでは、図示は省略するが、前身頃の生地２と後身頃の生地３との合わせ目の根元と先端が縫い合わされている。この縫い目１ａ上を蛇行するように同軸電線５は配されている。
より具体的には、同軸電線５は、図２Ａに示すように、矩形波状に蛇行され該矩形波の振幅の平均値の部分で半分に折られた状態で、縫い目１ａに被され、上記矩形波の振幅の最大部分が前身頃の生地２に、同最小部分が後身頃の生地３に、糸５ａでそれぞれ縫いつけられる。このようにして同軸電線５は図２Ｂに示すように前身頃の生地２側と後身頃の生地３側に交互に表れるように余長を持って配され縫いつけられている。
【００２４】
図示は省略するが、脇部分の縫い目１ａ以外の縫い目、すなわち、アームホール部分の縫い目１ｂ及び肩部分の縫い目１ｃについても、脇部分の縫い目１ａと同様に、同軸電線５は配される。
【００２５】
生地の合わせ目に設けられた縫い目部分は大きく動くことはないので、上述のように同軸電線５を生地の合わせ目に設けられた縫い目上を蛇行するように配することで、同軸電線５に負荷がかかり断線する虞が少ない。また、同軸電線５は矩形とされることで余長を持たせて配されているので、断線する虞はさらに少なくなっている。
【００２６】
図３Ａ及び図３Ｂは、本発明の衣服における同軸電線の配線方法の他の例を説明する図である。図３Ａは、衣服における同軸電線の配線部分の部分拡大斜視図、図３Ｂはこの例の配線方法に用いられる同軸電線の斜視図である。
【００２７】
図１の衣服１では、肩部分や脇部分の異なる生地の合わせ目に設けられる縫い目に被せるようにして同軸電線５を配していた。しかし、衣服の裾部分においては、図３Ａに示すように、前身頃の生地２を折り返して縫った縫い目（図１の符号１ｄ参照）に沿って空洞２ａを形成するようにし、該空洞２ａ内に図３Ｂに示すような螺旋状に形成された同軸電線５´を配するようにしてもよい。これにより、衣服が伸ばされて縫い目が変形したときに、同軸電線５´も追従して変形するので、同軸電線５´が断線する虞がない。
後身頃の生地の裾部分や袖の生地の袖口部分（図１の符号１ｅ参照）についても同様に配線してもよい。
【００２８】
なお、同軸電線５´は、図１の同軸電線５と形状が異なるのみであり、その素材に同軸電線５と同じものを利用することができる。
【００２９】
図４は、本発明の衣服における同軸電線の配線方法の他の例を説明する図であり、衣服における同軸電線の配線部分の部分拡大斜視図である。
【００３０】
図１の衣服１では、肩部分や脇部分の異なる生地の合わせ目に設けられる縫い目に被せるようにして同軸電線５を配していた。しかし、上記異なる生地の合わせ目部分においても、図４に示すように、前身頃の生地２´と後身頃の生地３´とを合わせて縫う際に、両者の間に空洞６を形成するようにし、該空洞６内に図３Ｂの同軸電線５´を配するようにしてもよい。
この場合も、衣服が伸ばされて縫い目が変形したときに、同軸電線５´も追従して変形するので、同軸電線５´が断線する虞がない。
【００３１】
以上の例では、同軸電線は、単芯であったが、単芯同軸電線を複数（例えば、８本や１６本）まとめた多芯ケーブルであってもよい。
【００３２】
また、以上の例では、同軸電線は、縫い目に沿ってのみ配されているが、目的等に応じて、縫い目以外の部分に配されていてもよい。
【符号の説明】
【００３３】
１ａ〜１ｅ…縫い目、２ａ…空洞、２…前身頃の生地、３…後身頃の生地、４…袖の生地、５ａ…コネクタ、５…同軸電線、６…空洞。
【図１】
2015206130.tif 000003
【図２Ａ】
2015206130.tif 000004
【図２Ｂ】
2015206130.tif 000005
【図３Ａ】
2015206130.tif 000006
【図３Ｂ】
2015206130.tif 000007
【図４】
2015206130.tif 000008
【手続補正書】
【提出日】平成27年8月12日(2015.8.12)
【手続補正１】
【補正対象書類名】特許請求の範囲
【補正対象項目名】全文
【補正方法】変更
【補正の内容】
【特許請求の範囲】
【請求項１】
生地の縫い目の周囲に、該縫い目に沿って、余長を持たせた形態で同軸電線が配されている衣服。
【請求項２】
前記同軸電線が、前記生地の合わせ目に設けられた前記縫い目上を蛇行するように配されている請求項１に記載の衣服。
【請求項３】
前記同軸電線が、蛇行された状態で前記縫い目に被され、該縫い目において縫い合わされた二つの生地それぞれに糸で縫い付けられている請求項２に記載の衣服。
【請求項４】
前記同軸電線が、螺旋状に形成されており、前記生地を折り返して縫った前記縫い目に沿って形成される空洞内に配されている請求項１に記載の衣服。
【請求項５】
前記同軸電線が、螺旋状に形成されており、前記生地の合わせ目に設けられた前記縫い目に沿って形成される空洞内に配されている請求項１に記載の衣服。
【請求項６】
前記同軸電線の外径が０．３７ｍｍより細い請求項１〜５のいずれか１項に記載の衣服。
【請求項７】
前記同軸電線の端部が露出し、機器接続用のコネクタで終端されている請求項１〜６のいずれか１項に記載の衣服。
【手続補正２】
【補正対象書類名】明細書
【補正対象項目名】００１４
【補正方法】変更
【補正の内容】
【００１４】
（３）本発明の衣服は、同軸電線が、蛇行された状態で縫い目に被され、該縫い目において縫い合わされた二つの生地それぞれに糸で縫い付けられているとよい。
（４）本発明の衣服は、同軸電線が、螺旋状に形成されており、生地を折り返して縫った縫い目に沿って形成される空洞内に配されている形態であってもよい。
【手続補正３】
【補正対象書類名】明細書
【補正対象項目名】００１５
【補正方法】変更
【補正の内容】
【００１５】
（５）本発明の衣服は、同軸電線が、螺旋状に形成されており、生地の合わせ目に設けられた縫い目に沿って形成される空洞内に配されている形態であってもよい。
（６）本発明の衣服は、同軸電線としてその外径が０．３７ｍｍより細いものを用いることができる。
（７）本発明の衣服は、同軸電線の端部が露出し、機器接続用のコネクタで終端されていることが好ましい。
【手続補正４】
【補正対象書類名】図面
【補正対象項目名】図２Ａ
【補正方法】変更
【補正の内容】
【図２Ａ】
2015206130.tif 000009
【手続補正５】
【補正対象書類名】図面
【補正対象項目名】図２Ｂ
【補正方法】変更
【補正の内容】
【図２Ｂ】
2015206130.tif 000010